(57)【特許請求の範囲】
【請求項１】
ユニットハウジングに装着されるアングルコネクタ（１）であって、プラグハウジング（３）、及び該プラグハウジングの上に部分的に延在して、該ユニットハウジングに回転しない様に固定することができるハウジングフランジ（５）を備え、
プラグハウジング（３）は、ハウジングフランジ（５）に回転可能に固定され、伸長方向を画定するために、回転摩擦を克服してハウジングフランジ（５）に対してねじることができ、
プラグハウジング（３）は、プラグハウジング（３）又はハウジングフランジ（５）の相互作用性の固定エレメントによりハウジングフランジソケット（６）を介してハウジングフランジ（５）に回転可能に装着され、
伸縮性スリーブ（７）は、ハウジングプラグソケット（６）とハウジングフランジ（５）が重なり合う部分に配置され且つハウジングフランジ（５）と軸方向と径方向における少なくともいくつかの区域において、互いに噛み合って連結し、ハウジングプラグソケット（６）と周方向においては摩擦力により相互に接続され、
伸縮性スリーブ（７）はハウジングプラグソケット（６）の環状前方窪み（１０）の中に回転可能に収容されて該スリーブの前面の歯（８）がハウジングフランジ（５）と噛み合うか、又は伸縮性スリーブ（７）はハウジングフランジ（５）の環状前方窪み（１０）の中に回転可能に収容されて該スリーブの前面の歯（８）がハウジングプラグソケット（６）と噛み合い、
環状前方窪み（１０）の２つの周面の内の少なくとも一方の周面はカム（１１）を有し、該カムが伸縮性スリーブ（７）を部分的に変形させ周方向に波状変形が形成されることにより伸縮性スリーブ（７）は予め張力を与えられた状態で窪み（１０）内に装着され、
プラグハウジグ（３）のハウジング（５）に対する回転に応じて、該波形変形が伸縮性スリーブ（７）の周面内を移動することを特徴とするアングルコネクタ。
【請求項２】
該スリーブ（７）が、径方向に波形に変形した窪み（１０）の中に置かれ、該スリーブ（７）に変形効果を及ぼすように、該窪み（１０）の少なくとも１つの周表面上に、互い違いに配置されたカム（１１）が備えられていることを特徴とする請求項１に記載のアングルコネクタ。
【請求項３】
該スリーブ（７）が、該ハウジングフランジ（５）に対する該プラグハウジング（３）の回転運動の際に、カム（１１）により径方向に動的に伸縮自在に変形可能であることを特徴とする請求項２に記載のアングルコネクタ。
【請求項４】
該スリーブ（７）が回転しないように拘束される該ハウジングフランジ（５）又は該プラグハウジング（３）に、該スリーブ（７）が径方向の遊びを有して支持されることを特徴とする請求項１〜３のいずれか１項に記載のアングルコネクタ。
【請求項５】
該スリーブ（７）が合成材料からなることを特徴とする請求項１〜４のいずれか１項に記載のアングルコネクタ。
【請求項６】
該スリーブ（７）がコーティングされることを特徴とする請求項１〜５のいずれか１項に記載のアングルコネクタ。
【発明の詳細な説明】
【技術分野】
【０００１】
本発明は、ユニットハウジングに装着されるアングルコネクタであって、プラグハウジング、及びそのプラグハウジングの上に部分的に延在してユニットハウジングに回転しないように固定することができるハウジングフランジを備えたアングルコネクタに関する。プラグハウジングは、ハウジングフランジに回転可能に固定され、伸長方向を画定するために、ハウジングフランジに対して、回転摩擦によりねじることができる。
【背景技術】
【０００２】
こうしたアングルコネクタは、例えば、モーターを接続するために使用される。アングルコネクタは、装着が容易であるべきであり、それらの伸長方向は、可変であるべきであり、一旦配置されると、機械的に駆動される装置において、通常は、不可避的な振動の影響下で、非意図的に独りでに変化することはできない。結果として、伸長方向の設定は、あるトルクの影響なしに可能であってはならず、設定の後、アングルコネクタの伸長方向を定めるプラグハウジングは、ハウジングフランジに対するその位置を維持する。
【０００３】
相互の関係で選択的にねじれた位置にプラグハウジングとハウジングフランジを固定するための、クリックストップ装置が提供されたアングルコネクタは公知である（特許文献１）。クリックストップ装置は、プラグハウジングとハウジングフランジの相互に重なる領域に配置され、そこでの固定プロセスは、一緒に固定されるべき部分とクリックストップ装置の間で、互いに接触する少なくとも２つの平坦な表面を用いて行われ、ハウジングフランジの外周上の複数の固定表面が、バネ荷重下で半径方向に移動できるプラグハウジングの対応する数の表面と接触する仕方で行われる。バネ荷重に対して移動可能な表面が、個々の部品又は複合体の形態で、プラグハウジングによって支持される重ね板バネセグメントで形成される。
【０００４】
上記特許の設計の重ね板バネセグメントは、製造コストが高くて取扱いが困難な繊細な部品であり、一方で、不釣合いに大きな製造努力を必要とし、他方で、アングルコネクタを組み立てるにおいて、僅かではない困難性をもたらす。
【特許文献１】ＤＥ２９８１３４５５Ｕ１
【発明の開示】
【発明が解決しようとする課題】
【０００５】
こうした先行技術を参照し、本発明は、アングルコネクタの課題を対処するものであり、伸長方向が可変であり、少ない労力で製造可能であり、工具を使用せずに殆ど任意の方向に設定可能であり、同時に、意図的でない設定変化に対して充分に安全なアングルコネクタを提供するものである。
【課題を解決するための手段】
【０００６】
本発明によると、この課題は、請求項１の特徴を有するアングルコネクタによって解決される。付加的な有益な実施態様は従属請求項に示される。
【０００７】
本発明によるアングルコネクタにおいて、プラグハウジングは、伸縮性スリーブを用いてハウジングフランジに回転可能に装着され、その伸縮性スリーブは、プラグハウジング又はハウジングフランジの環状の前方窪みの中に回転可能に収容され、それぞれの関連のハウジングフランジ又はプラグハウジングと回転しないように係合する。プラグハウジングとハウジングフランジが重なり合う領域において、プラグハウジングとハウジングフランジは、スリーブによって、軸方向と径方向における少なくとも一部の区域において噛み合って相互接続し、一方で、周方向において摩擦力により相互接続する。具体的には、スリーブは、プラグハウジングの直径とハウジングフランジの長さに適合する円筒形状を有し、鋼鉄、プラスチック、又はバネ部品に適する他の材料からなることができる。
【０００８】
少なくとも一部の区域におけるプラグハウジングとハウジングフランジの軸方向と径方向の噛み合った相互接続は、２つの部品の僅かな軸方向又は径方向の遊びを持ったかみ合わせの係合により、ハウジングフランジに回転可能に固定されたプラグハウジングを用いて形成される。径方向において、ハウジングフランジとプラグハウジングの周表面は互いに接触している。軸方向における回転可能な固定のため、相互作用性の固定エレメントが、プラグハウジングとハウジングフランジに提供され、その固定エレメントは、例えば、カウンター表面を備えた径方向に伸張するカラー、及び／又は径方向に伸長する突起の形状であり、好ましくは、バネ作用を有し、１又は複数の溝形窪みと確実に係合する。この様式において、プラグハウジングは、非意図的にハウジングフランジからそれ自身が離脱することができない。
【０００９】
周方向において、プラグハウジングは、伸縮性スリーブを介してハウジングフランジと摩擦力により接続する。スリーブは、プラグハウジングとハウジングフランジの間に位置し、ハウジングフランジ又はプラグハウジングと回転しないように係合する。その内側及び／又は外側の周表面の一部及び／又は関連の前面を介して、スリーブは、プラグハウジング又はハウジングフランジによってそれらに作用し、ここで、スリーブは、環状窪みに回転可能に収容され、プラグハウジングがハウジングフランジに対して回転するときは、摩擦によってプラグハウジングを抑制する。
【００１０】
アングルコネクタの伸長方向が設定されるとき、スリーブは、軸方向及び／又は径方向に、可逆的に弾性変形する。プラグハウジングの正面の環状窪みの形状又は伸縮性スリーブが回転可能に係合するハウジングフランジの形状を用い、ハウジングフランジの全周にわたり、回転摩擦を区域ごとに又は均一に設定することができる。また、スリーブの形状又はスリーブ用の適切な材料の選択によって、回転摩擦に影響を及ぼすことも可能である。
【００１１】
本発明による伸縮性スリーブは、前面の環状溝又は前面の環状段の形態として形成された環状窪みの中に波状に放射状に変形して予め張力を与えられた状態に置かれることに利点がある。予め張力を与えるため、窪み上の少なくとも１つの周表面に、互いに特に周方向に互い違いになってスリーブを変形させる効果を有するいくつかのカムが提供される。スリーブの起伏の数は、周表面のカムの数によって定められる。周表面に対するカムの高さ、相互のカム間の距離、及び環状窪みの１又は２の周表面上のそれらの配置に応じて、アングルコネクタの回転摩擦は変化すると考えられる。
【００１２】
プラグハウジングがハウジングフランジに対して回転運動に応じて、スリーブは、径方向に、動的に伸縮自在に変形できることが好ましい。アングルコネクタのプラグハウジングが回転するとき、伸縮性スリーブは、その周囲にそって径方向に動的に変形し、スリーブに対して接線方向に作用する摩擦力を克服して、プラグハウジングの回転方向に動く。
【００１３】
本発明の好ましい態様において、回転しない様にハウジングフランジ又はプラグハウジングの中に係合されたスリーブは、径方向に遊びを持って支持される。このことにより、断片的に動的に径方向に撓んだとき、スリーブがその全長にわたって均一に変形することを可能にし、その結果、その変形は、スリーブの周辺にそって波状パターンで、問題なしに進展することができる。
【００１４】
本発明のアングルコネクタの有益な実施形態において、スリーブは、合成材料から作成される。その製造について、当業者に公知の全ての注型法及び延伸法が使用されてもよい。このことは、大量生産についての低い材料コストとコスト効率の高い製造を可能にする。
【００１５】
１つの態様において、スリーブがコーティングされる。このコーティングは、特に、摩擦を最小限にするためであり、表面コーティングに適する全ての一般的な工業的方法を適用することができる。
【発明を実施するための最良の形態】
【００１６】
以下、図面に示す態様を参照しながら本発明を詳細に説明する。本発明の付加的な特徴は、特許請求の範囲と添付図面とを併せて本発明の態様の説明を吟味することによって理解される。本発明のいろいろな実施形態において、個々の特徴は、そのもので又はいくつかの組み合わせで実施することができる。
【００１７】
図１と図２は、プラグハウジング３に収容された接触支持体４を有するプラグ区域２を備えた本発明によるアングルコネクタ１を示す。また、アングルコネクタ１は、外側のプラグハウジング３のハウジングフランジソケット６と重なるハウジングフランジ５を有する。ハウジングフランジソケット６により、プラグハウジング３は、ハウジングフランジ５に回転可能に装着される。プラグハウジング３又はハウジングフランジ６の取り付けは、例えば、ロッキングリング（図示せず）を用いて行うことができる。
【００１８】
ハウジングフランジ５とハウジングフランジソケット６の間に、伸縮性スリーブ７が正面向きに配置され、このスリーブを介してプラグハウジング３が、ハウジングフランジ５上に支持される。スリーブ７は、ハウジングフランジ５に回転しないように拘束される。この目的のため、図５に見ることができるように、ハウジングフランジ５と対応するスリーブ７の前面に、ハウジングフランジ５の歯付きリム９と遊びを持って噛み合う歯８が備えられている。歯８は、スリーブ７の長手方向及び／又は実質的な長手軸に対する横方向に延在することができる。図面に示した実施形態において、歯８は、９０度の角度で曲がっている。スリーブ７の長手方向において、歯８は、スリーブ７から突き出て、曲がり箇所の手前では、スリーブ７とハウジングフランジ５の軸方向に走行し、曲がり箇所の後では、スリーブ７とハウジングフランジ５の径方向に走行する。
【００１９】
スリーブ７は、プラグハウジング３の環状の前方窪み１０の中に回転可能に収容される。窪み１０は、ハウジングフランジ５の歯付きリム９と向かい合ったハウジングフランジソケット６に形成される。図１と図３に示す第１の態様においては、環状の溝の形態を有し、図２と図４に示す第２の態様においては、環状の段の形態を有する。ハウジングフランジソケット６に対応するスリーブ７の前面は平坦であり、その前面は、窪み１０の環状表面と接触する。
【００２０】
ハウジングフランジソケット６とハウジングフランジ５は、相互に重なる領域において、軸方向と径方向における区域において、直接に噛み合って相互接続する。ハウジングフランジソケット６の周方向において、スリーブ７は、ハウジングフランジソケット６とハウジングフランジ５の間において、摩擦力による接続を提供する。この目的のため、スリーブ７は、ハウジングフランジソケット６とハウジングフランジ５の対応する周表面と接触して波状変形して予め張力を与えられる。変形は、周表面上に放射状に周方向に互い違いに配置されたカム１１によって提供される。図３と図４から分かるように、窪み１０が環状の段の形態を有する態様において、カム１１は、スリーブ７の内側周表面１２にのみ作用し、環状の溝を有する態様においては、スリーブ７の内側周表面１２と外側周表面１３に作用する。カム１１は、スリーブ７の径方向の伸縮性変形を生じさせ、この結果、スリーブ７は、周方向に走る起伏を有し、径方向において、ハウジングフランジ５に対して押し付けられる。
【００２１】
図面に示す態様において、スリーブ７は、ハウジングフランジソケット６の環状窪み１０に回転可能に収容され、ハウジングフランジソケット６と重なるハウジングフランジ５に回転しない様に拘束される。また、原理的に、ハウジングフランジ５にスリーブ７を回転可能に収容すること、及びそれをハウジングフランジソケット６に回転しない様に拘束させることは可能である。また、これらの態様とは別に、ハウジングフランジソケット６は、ハウジングフランジ５に重なることもできる。
【図面の簡単な説明】
【００２２】
【図１】本発明による第１のアングルコネクタの縦断面図であり、プラグハウジングに収容された接触支持体と、ハウジングフランジソケットと重なるハウジングフランジを備える。
【図２】本発明による第２のアングルコネクタの縦断面図である。
【図３】ハウジングフランジソケットの領域における、図１のアングルコネクタの横断面図である。
【図４】ハウジングフランジソケットの領域における、図２のアングルコネクタの横断面図である。
【図５】図１と図２にしたがって装着されたスリーブを備えたハウジングフランジの斜視図である。
【符号の説明】
【００２３】
１    アングルコネクタ
３    プラグハウジング
５    ハウジングフランジ
７    スリーブ
１０  窪み
【図１】
0004740370.tif 000002
【図２】
0004740370.tif 000003
【図３】
0004740370.tif 000004
【図４】
0004740370.tif 000005
【図５】
0004740370.tif 000006